(57)【要約】【課題】リムーバブルメモリを接続して画像処理装置の設定変更を行う際に、重複設定を防止できるシステムを提供する。【解決手段】リムーバブルメモリに格納された、画像処理装置を設定するための設定ファイルと、リムーバブルメモリに格納され、設定ファイルによる設定を受けた画像処理装置の履歴情報とを備える。また、リムーバブルメモリが装着された際に履歴情報を読み出して、設定ファイルによる設定が既になされたか否かを判断する判断手段と、判断手段により、設定がなされていないと判断された場合に、設定ファイルによる設定を行う設定手段と、その設定が完了した後に、該設定を受けたことをリムーバブルメモリの履歴情報に記録する履歴情報記録手段とを備える。【選択図】図８
2007274460.tif 000002
【特許請求の範囲】
【請求項１】
リムーバブルメモリが装着される画像処理装置の重複設定を防止するシステムであって、
前記リムーバブルメモリに格納された、前記画像処理装置を設定するための設定ファイルと、
前記リムーバブルメモリに格納された、前記設定ファイルによる設定を受けた前記画像処理装置の履歴情報と、
前記リムーバブルメモリが装着された際に、前記履歴情報を読み出して、前記設定ファイルによる設定が既になされたか否かを判断する判断手段と、
前記判断手段により、前記設定がなされていないと判断された場合に、前記設定ファイルによる設定を行う設定手段と、
その設定が完了した後に、該設定を受けたことを前記リムーバブルメモリの前記履歴情報に記録する履歴情報記録手段と、
を備えることを特徴とする画像処理装置の重複設定防止システム。
【請求項２】
前記判断手段により、前記設定が既になされていると判断された場合に、設定済みであることを報知する報知手段を備える請求項１記載の画像処理装置の重複設定防止システム。
【請求項３】
前記履歴情報は、前記設定ファイルを特定する情報と、前記画像処理装置を特定する情報とが対応付けられたものであり、
前記判断手段は、前記リムーバブルメモリに格納されている前記設定ファイルを特定する情報と、前記設定を受ける前記画像処理装置を特定する情報とが、前記履歴情報の中に対応付けて含まれているかどうかを判断することにより、前記設定が既になされたか否かを判断する請求項１または２記載の画像処理装置の重複設定防止システム。
【請求項４】
前記報知手段による報知がされた後に、前記画像処理装置を待機状態に移行させる待機状態移行手段を備える請求項２または３に記載の画像処理装置の重複設定防止システム。
【請求項５】
画像処理装置を設定するための設定ファイルと、その設定ファイルによる設定を受けた画像処理装置の履歴情報とが格納されたリムーバブルメモリが装着される装着部と、
該リムーバブルメモリが装着されたことを検出する装着検出手段と、
前記リムーバブルメモリが装着された際に、前記履歴情報を読み出して、前記設定ファイルによる設定が既になされたか否かを判断する判断手段と、
前記判断手段により、前記設定がなされていないと判断された場合に、前記設定ファイルによる設定を行う設定手段と、
その設定が完了した後に、該設定を受けたことを前記リムーバブルメモリの前記履歴情報に記録する履歴情報記録手段と、
を備えることを特徴とする画像処理装置。
【請求項６】
前記判断手段により、前記設定が既になされていると判断された場合に、設定済みであることを報知する報知手段を備える請求項５記載の画像処理装置。
【請求項７】
自己を特定する情報を記憶する特定情報記憶手段を備え、
前記履歴情報は、前記設定ファイルを特定する情報と、その設定ファイルによる設定を受けた装置を特定する情報とが対応付けられたものであり、
前記判断手段は、前記リムーバブルメモリに格納されている前記設定ファイルを特定する情報と、前記特定情報記憶手段に記憶されている前記自己を特定する情報とが前記履歴情報の中に対応付けて含まれているかどうかを判断することにより、前記設定が既になされたか否かを判断する請求項５または６記載の画像処理装置。
【請求項８】
前記報知手段による報知がされた後に、前記画像処理装置を待機状態に移行させる待機状態移行手段を備える請求項６または７に記載の画像処理装置。
【請求項９】
リムーバブルメモリが装着される画像処理装置の重複設定を防止するプログラムであって、
前記リムーバブルメモリには、前記画像処理装置を設定するための設定ファイルと、その設定ファイルによる設定を受けた前記画像処理装置の履歴情報とが格納されており、
前記リムーバブルメモリが装着されたことを検出する装着検出手段と、
前記リムーバブルメモリが装着された際に、前記履歴情報を読み出して、前記設定ファイルによる設定が既になされたか否かを判断する判断手段と、
前記判断手段により、前記設定がなされていないと判断された場合に、前記設定ファイルによる設定を行う設定手段と、
その設定が完了した後に、該設定を受けたことを前記リムーバブルメモリの前記履歴情報に記録する履歴情報記録手段と、
を備えることを特徴とする画像処理装置の重複設定防止プログラム。
【請求項１０】
前記判断手段により、前記設定が既になされていると判断された場合に、設定済みであることを報知する報知手段を備える請求項９記載の画像処理装置の重複設定防止プログラム。
【請求項１１】
前記履歴情報は、前記設定ファイルを特定する情報と、前記画像処理装置を特定する情報とが対応付けられたものであり、
前記判断手段は、前記リムーバブルメモリに格納されている前記設定ファイルを特定する情報と、前記設定を受ける前記画像処理装置を特定する情報とが、前記履歴情報の中に対応付けて含まれているかどうかを判断することにより、前記設定が既になされたか否かを判断する請求項９または１０記載の画像処理装置の重複設定防止プログラム。
【請求項１２】
前記報知手段による報知がされた後に、前記画像処理装置を待機状態に移行させる待機状態移行手段を備える請求項１０または１１記載の画像処理装置の重複設定防止プログラム。
【発明の詳細な説明】
【技術分野】
【０００１】
本発明は画像処理装置の重複設定防止システム、画像処理装置、画像処理装置の重複設定防止プログラムに関するものである。
【背景技術】
【０００２】
ＦＡＸやコピー機等の画像処理装置には操作キーや表示部が設けられている。画像処理装置の設定変更をする際には、設定変更メニューが表示部に表示され、ユーザはそのメニューを見ながら操作キーを操作して設定変更を行う。例えば用紙の向きを変えたり、印刷倍率を変えたりする設定変更を行う。
【０００３】
一方、画像処理装置の内蔵プログラムを変更したり追加したりする際には、ＵＳＢメモリ等の着脱可能な記憶媒体（リムーバブルメモリ）が用いられる。すなわち、新しいプログラムを記憶したリムーバブルメモリを画像処理装置に接続して、そのプログラムを読み取らせて内蔵プログラムの書き換えを行う。また、内蔵パラメータ（用紙の大きさや向き等の設定）の変更をする場合でも、変更対象となる画像処理装置が多いときは、作業を楽に行うために、新しいパラメータを記憶したリムーバブルメモリを画像処理装置に接続して、そのパラメータを読み取らせて内蔵パラメータの書き換えを行う。
【０００４】
例えば下記特許文献１には、ファームウエアの書き換え機能を備えたＵＳＢ装置が開示されている。
【特許文献１】特開２００１−１１７７７８号公報
【発明の開示】
【発明が解決しようとする課題】
【０００５】
多数の画像処理装置の設定変更をする場合は、一つ一つ手作業で行うと大変な労力が必要となるが、リムーバブルメモリを用いることにより、少ない労力で設定変更が可能となる。
【０００６】
しかし従来は、リムーバブルメモリを使って設定を行った後、誤って同じ設定を再度行った場合、重複設定がされてしまい、時間を無駄に費やしていた。また、そのようなことが発生しても、ユーザに報知することができなかった。そのため、重複設定がされても、ユーザが気づかないという問題があった。
【０００７】
本発明は上述のような事情を背景としてなされたもので、特に、リムーバブルメモリを接続して画像処理装置の設定変更を行う際に、重複設定を防止できるシステムを提供することを課題とする。
【課題を解決するための手段および発明の効果】
【０００８】
請求項１記載の発明は、
リムーバブルメモリが装着される画像処理装置の重複設定を防止するシステムであって、
前記リムーバブルメモリに格納された、前記画像処理装置を設定するための設定ファイルと、
前記リムーバブルメモリに格納された、前記設定ファイルによる設定を受けた前記画像処理装置の履歴情報と、
前記リムーバブルメモリが装着された際に、前記履歴情報を読み出して、前記設定ファイルによる設定が既になされたか否かを判断する判断手段と、
前記判断手段により、前記設定がなされていないと判断された場合に、前記設定ファイルによる設定を行う設定手段と、
その設定が完了した後に、該設定を受けたことを前記リムーバブルメモリの前記履歴情報に記録する履歴情報記録手段と、
を備えることを特徴とする画像処理装置の重複設定防止システムである。
【０００９】
上記発明によると、設定ファイルによる設定を受けた画像処理装置の履歴情報がリムーバブルメモリに記憶されている。そのリムーバブルメモリを画像処理装置に装着すると、設定を行う前に履歴情報を読み出して、設定が既になされたか否かを判断する。設定されていないと判断された場合は、設定ファイルによる設定を行う。そして、その設定ファイルによる設定を行ったことを履歴情報に記録する。これにより、未だ設定を受けていない画像処理装置のみ、設定を行うことができる。そのため、重複設定を防止できる。
【００１０】
請求項２記載の発明は、
前記判断手段により、前記設定が既になされていると判断された場合に、設定済みであることを報知する報知手段を備える画像処理装置の重複設定防止システムである。
【００１１】
上記発明によると、リムーバブルメモリを画像処理装置に装着した際に、設定を行う前に履歴情報が読み出され、設定が既になされたか否かが判断される。既に設定がされている場合は、設定済みであることが報知されるため、ユーザは誤った設定操作をしていることを認識できる。
【００１２】
また、履歴情報を画像処理装置側で記憶すると、記憶装置の空き容量が少なくなる問題が生じるが、上記発明では履歴情報をリムーバブルメモリに記憶しているため、このような問題が生じない。
【００１３】
請求項３記載の発明は、
前記履歴情報は、前記設定ファイルを特定する情報と、前記画像処理装置を特定する情報とが対応付けられたものであり、
前記判断手段は、前記リムーバブルメモリに格納されている前記設定ファイルを特定する情報と、前記設定を受ける前記画像処理装置を特定する情報とが、前記履歴情報の中に対応付けて含まれているかどうかを判断することにより、前記設定が既になされたか否かを判断する画像処理装置の重複設定防止システムである。
【００１４】
上記発明によると、履歴情報は、設定ファイルを特定する情報と、画像処理装置を特定する情報とが対応付けられたものである。設定ファイルを特定する情報とは、例えばＧＵＩＤ（Global Unique Identifier）であり、画像処理装置を特定する情報とは、例えばシリアル番号である。これらの情報を対応付けて使用することにより、履歴情報の一意性を高めることができる。そのため、重複設定が行われた場合、確実に検知できる。
【００１５】
請求項４記載の発明は、
前記報知手段による報知がされた後に、前記画像処理装置を待機状態に移行させる待機状態移行手段を備える画像処理装置の重複設定防止システムである。
【００１６】
上記発明によると、設定済みの報知がされた後に、画像処理装置の設定モードに移行せず、待機状態に移行する。そのため、誤って設定を行うことがなくなる。
【００１７】
請求項５記載の発明は、
画像処理装置を設定するための設定ファイルと、その設定ファイルによる設定を受けた画像処理装置の履歴情報とが格納されたリムーバブルメモリが装着される装着部と、
該リムーバブルメモリが装着されたことを検出する装着検出手段と、
前記リムーバブルメモリが装着された際に、前記履歴情報を読み出して、前記設定ファイルによる設定が既になされたか否かを判断する判断手段と、
前記判断手段により、前記設定がなされていないと判断された場合に、前記設定ファイルによる設定を行う設定手段と、
その設定が完了した後に、該設定を受けたことを前記リムーバブルメモリの前記履歴情報に記録する履歴情報記録手段と、
を備えることを特徴とする画像処理装置である。
【００１８】
上記発明によると、設定ファイルによる設定を受けた画像処理装置の履歴情報がリムーバブルメモリに記憶されている。そのリムーバブルメモリを画像処理装置に装着すると、設定を行う前に履歴情報を読み出して、設定が既になされたか否かを判断する。設定されていないと判断された場合は、設定ファイルによる設定を行う。そして、その設定ファイルによる設定を行ったことを履歴情報に記録する。これにより、未だ設定を受けていない画像処理装置のみ、設定を行うことができる。そのため、重複設定を防止できる。
【００１９】
請求項６記載の発明は、
前記判断手段により、前記設定が既になされていると判断された場合に、設定済みであることを報知する報知手段を備える画像処理装置である。
【００２０】
上記発明によると、リムーバブルメモリを画像処理装置に装着した際に、設定を行う前に履歴情報が読み出され、設定が既になされたか否かが判断される。既に設定がされている場合は、設定済みであることが報知されるため、ユーザは誤った設定操作をしていることを認識できる。
【００２１】
請求項７記載の発明は、
自己を特定する情報を記憶する特定情報記憶手段を備え、
前記履歴情報は、前記設定ファイルを特定する情報と、その設定ファイルによる設定を受けた装置を特定する情報とが対応付けられたものであり、
前記判断手段は、前記リムーバブルメモリに格納されている前記設定ファイルを特定する情報と、前記特定情報記憶手段に記憶されている前記自己を特定する情報とが前記履歴情報の中に対応付けて含まれているかどうかを判断することにより、前記設定が既になされたか否かを判断する画像処理装置である。
【００２２】
上記発明によると、履歴情報は、設定ファイルを特定する情報と、画像処理装置を特定する情報とが対応付けられたものである。これにより、履歴情報の一意性を高めることが可能となり、重複設定を防止できる。
【００２３】
請求項８記載の発明は、
前記報知手段による報知がされた後に、前記画像処理装置を待機状態に移行させる待機状態移行手段を備える画像処理装置である。
【００２４】
上記発明によると、設定済みの報知がされた後に、画像処理装置の設定モードに移行せず、待機状態に移行する。そのため、誤って設定を行うことがなくなる。
【００２５】
請求項９記載の発明は、
リムーバブルメモリが装着される画像処理装置の重複設定を防止するプログラムであって、
前記リムーバブルメモリには、前記画像処理装置を設定するための設定ファイルと、その設定ファイルによる設定を受けた前記画像処理装置の履歴情報とが格納されており、
前記リムーバブルメモリが装着されたことを検出する装着検出手段と、
前記リムーバブルメモリが装着された際に、前記履歴情報を読み出して、前記設定ファイルによる設定が既になされたか否かを判断する判断手段と、
前記判断手段により、前記設定がなされていないと判断された場合に、前記設定ファイルによる設定を行う設定手段と、
その設定が完了した後に、該設定を受けたことを前記リムーバブルメモリの前記履歴情報に記録する履歴情報記録手段と、
を備えることを特徴とする画像処理装置の重複設定防止プログラムである。
【００２６】
上記発明によると、設定ファイルによる設定を受けた画像処理装置の履歴情報がリムーバブルメモリに記憶されている。そのリムーバブルメモリを画像処理装置に装着すると、設定を行う前に履歴情報を読み出して、設定が既になされたか否かを判断する。設定されていないと判断された場合は、設定ファイルによる設定を行う。そして、その設定ファイルによる設定を行ったことを履歴情報に記録する。これにより、未だ設定を受けていない画像処理装置のみ、設定を行うことができる。そのため、重複設定を防止できる。
【００２７】
請求項１０記載の発明は、前記判断手段により、前記設定が既になされていると判断された場合に、設定済みであることを報知する報知手段を備える画像処理装置の重複設定防止プログラムである。
【００２８】
上記発明によると、リムーバブルメモリを画像処理装置に装着した際に、設定を行う前に履歴情報が読み出され、設定が既になされたか否かが判断される。既に設定がされている場合は、設定済みであることが報知されるため、ユーザは誤った設定操作をしていることを認識できる。
【００２９】
請求項１１記載の発明は、
前記履歴情報は、前記設定ファイルを特定する情報と、前記画像処理装置を特定する情報とが対応付けられたものであり、
前記判断手段は、前記リムーバブルメモリに格納されている前記設定ファイルを特定する情報と、前記設定を受ける前記画像処理装置を特定する情報とが、前記履歴情報の中に対応付けて含まれているかどうかを判断することにより、前記設定が既になされたか否かを判断する画像処理装置の重複設定防止プログラムである。
【００３０】
上記発明によると、履歴情報は、設定ファイルを特定する情報と、画像処理装置を特定する情報とが対応付けられたものである。これにより、履歴情報の一意性を高めることが可能となり、重複設定を防止できる。
【００３１】
請求項１２記載の発明は、
前記報知手段による報知がされた後に、前記画像処理装置を待機状態に移行させる待機状態移行手段を備える画像処理装置の重複設定防止プログラムである。
【００３２】
上記発明によると、設定済みの報知がされた後に、画像処理装置の設定モードに移行せず、待機状態に移行する。そのため、誤って設定を行うことがなくなる。
【発明を実施するための最良の形態】
【００３３】
本発明の実施形態を、図面を参照しながら説明する。
以下、ＦＡＸ機能、コピー機能、スキャナ機能を備えた複合機を画像処理装置の例として用いるが、本発明を実施する上でこれらの全ての機能を備える必要はなく、少なくとも一つの機能を備えていれば足りる。
【００３４】
図１は画像処理装置２のブロック図である。図示するように、画像処理装置２はＣＰＵ６，ＲＡＭ７，ＲＯＭ８，ゲートアレイ９，ＮＣＵ（Network  Control  Unit：網制御装置）１０，モデム１１，ＥＥＰＲＯＭ１２（本発明の特定情報記憶手段），コーデック１３，ＤＭＡＣ（Direct  Memory  Access  Controller）１４などを含んで構成されている。これらの部品はバスライン２０により相互に接続されている。バスライン２０には、アドレスバス、データバス、および制御信号線が含まれる。また、ゲートアレイ９には読取部１５、印刷部１６、操作部２２、表示部１７、リムーバブルメモリ３を装着するインターフェース（Ｉ／Ｆ）部１８、及び外部接続部１９が接続されている。ＮＣＵには、電話回線２１が接続されている。
【００３５】
リムーバブルメモリ３は例えばＵＳＢメモリやスマートメディア、コンパクトフラッシュ（登録商標）、小型ＨＤＤ等の記憶媒体であり、Ｉ／Ｆ部１８に着脱自在に装着されている。図２に示すように、リムーバブルメモリ３には設定ファイル４と履歴ファイル５（本発明の履歴情報）が記憶されている。設定ファイル４には、用紙の大きさや向き等を設定するためのパラメータが記憶されている。設定ファイル４は、設定内容を一意に特定できる情報を含むようになっている。例えば、設定ファイル４のファイル名にＧＵＩＤが使われる。ＧＵＩＤは、全世界で一意に定められた識別子である。これを用いることにより、設定ファイル４を作成する度に異なるファイル名を付けることができ、設定ファイル４の一意性を高めることが可能となる。
【００３６】
一方、履歴ファイル５には、設定ファイル４による設定がされた画像処理装置２の履歴が記憶されている。履歴ファイル５のデータ構造を図３に示す。履歴ファイル５は、設定ファイル４の設定内容を一意に特定できる情報（本発明ではファイル名３３）と、画像処理装置２を一意に特定できる情報（本発明ではシリアル番号３４）とが対応付けられている。設定ファイル４のファイル名３３には、上述したようにＧＵＩＤが使用される。シリアル番号３４は画像処理装置２の製造メーカによって付けられるもので、画像処理装置２を一意に特定する番号である。
【００３７】
このように、履歴ファイル５は、設定ファイル４を一意に特定する情報（ファイル名３３）と、画像処理装置２を一意に特定する情報の組からなっている。これにより、履歴情報の一意性を高めることが可能となり、重複設定を防止できる。
【００３８】
上述したように、設定ファイル４を作成する度に異なるファイル名３３が付けられる。その設定ファイル４で個々の画像処理装置２の設定をすると、履歴ファイル５に履歴が残る。例えば図３では、ファイル名「CD91D40A-B9D8-475f-92C0-BAD6D71E5792.set」によりシリアル番号”00001”,”00002”,”00245”の画像処理装置２が設定された後、別のファイル名「D155AE5A-5A9E-465b-AD18-B27AFF88365C.set」によりシリアル番号”00002”の画像処理装置２が設定されている。さらにその後、ファイル名「1BC7500D-C962-40c5-995A-6C104678B5F2.set」によりシリアル番号”00002”以下７台の画像処理装置２の設定がされている。
【００３９】
この履歴ファイル５は、画像処理装置２内の記憶媒体（例えばＥＥＰＲＯＭ１２）に記憶することもできるが、空き容量が少なくなるため、本発明のようにリムーバブルメモリ３に記憶することが望ましい。また、リムーバブルメモリ３に記憶することで、複数の画像処理装置２の履歴を一元管理することが可能となる。
【００４０】
一方、図４に示すように、ＲＯＭ８には装着検出プログラム８ａ、判断プログラム８ｂ、報知プログラム８ｃ、待機状態移行プログラム８ｄ、設定プログラム８ｅ、履歴情報記録プログラム８ｆ等の各種プログラムが記憶されている。
【００４１】
装着検出プログラム８ａは、リムーバブルメモリ３がＩ／Ｆ部１８に装着されたことを検出するプログラムである。判断プログラム８ｂは、リムーバブルメモリ３が装着された際に、履歴ファイル５を読み出して、設定ファイル４による設定が既になされたか否かを判断するプログラムである。具体的には、設定ファイル４を特定する情報（ファイル名３３）を読み出して、その情報と自己を特定する情報（シリアル番号３４）の組が履歴ファイル５に記録されているか否かを判断する。その組が履歴ファイル５に記録されていれば、既に設定ファイル４による設定がされていることになる。
【００４２】
また、報知プログラム８ｃは、設定ファイル４による設定が既になされていると判断された場合に、設定済みであることを報知するプログラムである。待機状態移行プログラム８ｄは、報知がされた後に、画像処理装置２を待機状態に移行させるプログラムである。設定プログラム８ｅは、設定ファイル４による設定が未だ行われていないと判断された場合に、設定ファイル４を読み出して設定を行うプログラムである。履歴情報記録プログラム８ｆは、設定が終了したことをリムーバブルメモリ３の履歴ファイル５に記録するプログラムである。
【００４３】
これら装着検出プログラム８ａ、判断プログラム８ｂ、報知プログラム８ｃ、待機状態移行プログラム８ｄ、設定プログラム８ｅ、履歴情報記録プログラム８ｆをＣＰＵ６が実行することにより、本発明の装着検出手段、判断手段、報知手段、待機状態移行手段、設定手段、履歴情報記録手段がそれぞれ実現される。
【００４４】
図１に戻る。ＮＣＵ１０は公衆電話回線２１に接続されて回線の接続／切断等の網制御を行うものである。また、ＲＡＭ７はＣＰＵ６の作業領域や、読み取った画像の展開領域用ラインバッファメモリなどとして用いられる。モデム１１は、ファクシミリデータの変調や復調などを行う。ＲＯＭ８は図４に示す各種プログラムの他、設定値などのデータを記憶している。コーデック１３はファクシミリデータの符号化や復号化を行う。ＤＭＡＣ１４は、主にＲＡＭ７へのデータの書き込みや読み出しを行う。
【００４５】
ゲートアレイ９は、ＣＰＵ６と読取部１５等の各部との入出力インターフェースとして機能する。読取部１５は、イメージセンサやＬＥＤ光源などを備え、原稿などから文字や図形などの画像を読み取る。印刷部１６は、たとえばインクジェット方式あるいはレーザー方式などにより、文字や図形などの画像を印刷する。操作部２２は、テンキーや文字キーなどのキースイッチ群を備え、ユーザのキー操作に応じた指令をＣＰＵ６に伝える。表示部１７は、ＬＣＤなどのパネルを備え、動作状態や操作ガイダンス、縮小画像などを表示する。外部接続部１９は、たとえばセントロニクスパラレルインターフェイス、あるいはＵＳＢ（Universal Serial Bus）などといった規格に対応する接続ポートを備えている。
【００４６】
ＥＥＰＲＯＭ１２には、図５に示すように設定情報１２ａとシリアル番号３４が記憶されている。設定情報１２ａは、画像処理装置２の設定に関する情報で、設定変更によって書き換えられるものである。シリアル番号３４は、上述したように個々の画像処理装置２を特定する情報である。
【００４７】
次に、パーソナルコンピュータ（ＰＣ）２３のブロック図を図６に示す。ＰＣ２３は周知のＣＰＵ２４、ＲＡＭ２５、ＲＯＭ２６、ＨＤＤ２７、Ｉ／Ｏ２８、Ｉ／Ｆ部３１、これらを繋ぐバスライン３２を含む。Ｉ／Ｏ２８にはキーボード等の入力装置２９と、液晶パネル等の表示装置３０が接続されている。また、Ｉ／Ｆ部３１にはリムーバブルメモリ３が装着される。
【００４８】
ＨＤＤ２７にはＯＳ２７ａおよび設定ファイル作成プログラム２７ｂが記憶されている。ＯＳ２７ａはＰＣ２３の基本ソフトウエアで、ＧＵＩＤを生成するプログラム（図示しない）が組み込まれている。また、設定ファイル作成プログラム２７ｂは設定ファイル４を作成するためのプログラムである。
【００４９】
ＰＣ２３で設定ファイル４を作成する際のフローチャートを図７に示す。まずステップＳ１では、上述の設定ファイル作成プログラム２７ｂが実行され、ユーザが入力装置２９を使って入力を行うことにより、設定ファイル４が作成される。その後Ｓ２に移り、設定を一意に特定できる情報を付加して、設定ファイル４をリムーバブルメモリ３に保存する。例えば、ＧＵＩＤを使って設定ファイル４のファイル名３３を付ける。
【００５０】
次に、装着検出プログラム８ａ、判断プログラム８ｂ、報知プログラム８ｃ、待機状態移行プログラム８ｄ、設定プログラム８ｅ、履歴情報記録プログラム８ｆの動作を、図８のフローチャートを用いて説明する。まずステップＳ３で、リムーバブルメモリ３が装着されたか否かを判断する。ここでＮｏの場合はプリンタ待機状態に戻り、Ｙｅｓの場合はＳ４に移る。Ｓ４では、リムーバブルメモリ３内に設定ファイル４が存在するか否かを判断する。
【００５１】
Ｓ４でＮｏの場合はプリンタ待機状態に戻り、Ｙｅｓの場合はＳ５に移る。Ｓ５では、リムーバブルメモリ３内に存在する設定ファイル４を用いて、既にプリンタ設定がされたことがあるか否かを判断する。より詳しくは、画像処理装置２を特定する情報（シリアル番号３４）と、リムーバブルメモリ３内の設定ファイル４のファイル名３３との組が、履歴ファイル５に記録されているか否かを判断する（図３参照）。履歴ファイル５に記録されていれば既に設定されている（Ｙｅｓ）、記録されていなければ設定されていない（Ｎｏ）と判断する。
【００５２】
Ｓ５でＹｅｓと判断された場合はＳ８へ移動し、重複した設定をしようとしていることを報知する。例えば、表示部１７に表示して警告したり、音声による警告をしたりする。これにより、重複設定を防止することが可能となる。Ｓ８の処理を行った後は、設定画面を表示せずに、プリンタ待機状態に移行する。そのため、警告に気づかないで設定を行うことが無くなる。
【００５３】
Ｓ５でＮｏと判断された場合はＳ６へ移動し、設定ファイル４の内容を用いて画像処理装置２の設定を行う。より詳しくは、リムーバブルメモリ３に格納されている設定ファイル４を読み取って、ＥＥＰＲＯＭ１２に記憶している設定情報１２ａ（図５参照）を書き換える。
【００５４】
Ｓ６の処理の後Ｓ７に移り、設定ファイル４によって本画像処理装置２が既に設定されていることを履歴ファイル５に記録する。すなわち、設定ファイル４内のファイル名３３と、自己のシリアル番号３４とを組にして、履歴ファイル５に記録する。これにより、同じ設定ファイル４で同じ画像処理装置２を再び設定しようとした時に、その旨を報知することが可能となる。
【００５５】
以上説明したように本発明は、リムーバブルメモリ３に設定ファイル４と履歴ファイル５が記憶されており、そのリムーバブルメモリ３を画像処理装置２に装着した際に、設定ファイル４を特定する情報（ファイル名３３）と、画像処理装置２を特定する情報（シリアル番号３４）との組が履歴ファイル５に記録されているか否かを判断し、記録されている場合に報知する。そのため、重複設定を防止することが可能となる。
【図面の簡単な説明】
【００５６】
【図１】画像処理装置のブロック図。
【図２】リムーバブルメモリに記憶されている情報。
【図３】履歴ファイルの例。
【図４】ＲＯＭに記憶されているプログラム。
【図５】ＥＥＰＲＯＭに記憶されている情報。
【図６】パーソナルコンピュータのブロック図。
【図７】パーソナルコンピュータのフローチャート。
【図８】画像処理装置のフローチャート。
【符号の説明】
【００５７】
１  重複設定防止システム
２  画像処理装置
３  リムーバブルメモリ
４  設定ファイル
５  履歴ファイル（履歴情報）
８ａ  装着検出プログラム
８ｂ  判断プログラム
８ｃ  報知プログラム
８ｄ  待機状態移行プログラム
８ｅ  設定プログラム
８ｆ  履歴情報記録プログラム
１２  ＥＥＰＲＯＭ（特定情報記憶手段）
１２ａ  設定情報
３３  設定ファイル４のファイル名
３４  シリアル番号
【図１】
2007274460.tif 000003
【図２】
2007274460.tif 000004
【図３】
2007274460.tif 000005
【図４】
2007274460.tif 000006
【図５】
2007274460.tif 000007
【図６】
2007274460.tif 000008
【図７】
2007274460.tif 000009
【図８】
2007274460.tif 000010